(57)【要約】【課題】様々な姿勢で光源の適切な冷却が可能な光源装置を提供する。【解決手段】光源装置３１は、光源３１１と、光軸３１Ａｘに沿う方向から見て光源３１１を囲む領域に設けられた壁面５２１を有し、壁面５２１に複数の通気孔５２Ａが形成された光源用筐体５と、壁面５２１に沿う回転により複数の通気孔５２Ａを個別に開閉する複数の回転体６１と、複数の通気孔５２Ａに連通可能な流路７Ｆと、を備え、壁面５２１は、光軸３１Ａｘと交差する方向に延出し、複数の通気孔５２Ａは、光軸３１Ａｘが水平面に沿うような第１姿勢において、光軸３１Ａｘを通る水平面の両側に設けられ、各通気孔５２Ａは、回転体６１の回転中心の光軸３１Ａｘ側に形成され、回転体６１は、閉塞部６１ｂ、開口部６１ａ、および開口部６１ａにおける閉塞部６１ｂ側とは反対側の周縁に設けられた重り部６１２を有している。【選択図】図４
2016180940.tif 000002
【特許請求の範囲】
【請求項１】
光源と、
前記光源から射出された光を反射するリフレクターと、
前記光源および前記リフレクターを収納し、前記光源の光軸に沿う方向から見て前記光源を囲む領域に設けられた壁面を有し、当該壁面に複数の通気孔が形成された光源用筐体と、
前記壁面に沿う回転により前記複数の通気孔を個別に開閉する複数の回転体と、
前記光源用筐体の外部から空気を導入する導入口を有し、前記複数の通気孔に連通可能な流路と、
を備え、
前記壁面は、前記光軸と交差する方向に延出し、
前記複数の通気孔は、前記光軸が水平面に沿うような第１姿勢において、前記光軸を通る水平面の両側に設けられ、当該複数の通気孔それぞれは、前記回転体の回転中心の前記光軸側に形成され、
前記回転体は、前記通気孔を閉塞する閉塞部、前記通気孔を開口させる開口部、および自重によって前記開口部が前記閉塞部より下になるように前記開口部の前記閉塞部側とは反対側の周縁に設けられた重り部を有していることを特徴とする光源装置。
【請求項２】
請求項１に記載の光源装置であって、
前記複数の通気孔は、周方向に配設されていることを特徴とする光源装置。
【請求項３】
請求項１または請求項２に記載の光源装置であって、
前記壁面は、前記光源用筐体の外面側に設けられ、
当該光源装置は、
前記複数の回転体を囲み、前記光源用筐体とで、前記流路を形成するダクト部材を備えることを特徴とする光源装置。
【請求項４】
請求項３に記載の光源装置であって、
前記壁面における前記通気孔の周縁の少なくとも一部は、前記光軸に沿う方向から見て前記リフレクター周縁の内側に位置していることを特徴とする光源装置。
【請求項５】
請求項１〜請求項４のいずれか一項に記載の光源装置であって、
前記複数の通気孔は、前記光軸を中心とする円周方向に配設され、前記第１姿勢のうちの所定の姿勢において、前記光軸を通る水平面の上側に位置する第１通気孔および一対の第２通気孔と、前記水平面の下側に位置する第３通気孔および一対の第４通気孔とを有し、
前記所定の姿勢において、
前記第１通気孔および前記第３通気孔は、前記光軸を通る鉛直面が通る位置に形成され、
前記一対の第２通気孔および前記一対の第４通気孔は、前記水平面と前記鉛直面との間に形成されていることを特徴とする光源装置。
【請求項６】
請求項１〜請求項５のいずれか一項に記載の光源装置であって、
前記回転体は、平面視円形に形成され、
前記重り部は、前記閉塞部に対し、前記壁面とは反対側に突出していることを特徴とする光源装置。
【請求項７】
請求項１〜請求項６のいずれか一項に記載の光源装置であって、
前記壁面は、当該光源装置の光路前段側および光路後段側のいずれか一方に向かう程、前記光軸から遠ざかるように傾斜していることを特徴とする光源装置。
【請求項８】
請求項１〜請求項７のいずれか一項に記載の光源装置と、
前記光源装置から射出された光を変調する光変調装置と、
前記光変調装置にて変調された光を投写する投写光学装置と、
前記光源装置に冷却空気を送風する冷却ファンと、
を備えることを特徴とするプロジェクター。
【発明の詳細な説明】
【技術分野】
【０００１】
本発明は、光源装置、およびプロジェクターに関する。
【背景技術】
【０００２】
従来、光源装置から射出された光を画像情報に応じて変調し、変調した光をスクリーン等の投写面に投写するプロジェクターが知られている。この光源装置には、超高圧水銀ランプ等の放電型の光源が用いられている。光源は、発光に伴って発熱し、熱対流等の影響により、上側が下側より高温となるため、冷却空気を光源の上側から送風して上側と下側とで温度差が生じないようにすることが望まれる。
また、使用シーンを広げるために、プロジェクターが様々な姿勢の場合でも冷却空気を光源の上側から送風するように構成した技術が提案されている（例えば、特許文献１参照）。
【０００３】
特許文献１に記載の光源装置は、光源、リフレクター、光源用筐体、および回転部材を備える。
光源用筐体は、光源、リフレクターを収納するとともに、冷却ファンから送風された冷却風を導入可能な複数の導入口、および各導入口に連通する複数の流出口を有している。複数の導入口は、リフレクターの外側に設けられた中心軸の周囲に並設され、複数の流出口は、リフレクターの開口部に沿って形成されている。
回転部材は、平面視円形状に形成され、光源用筐体の中心軸に回転自在に支持されている。また、回転部材は、複数の導入口のいずれかを開放する開口部を有している。
そして、光源は、光源装置の姿勢に応じて回転部材が回転し、鉛直方向上側から送風された冷却風によって冷却される。
【先行技術文献】
【特許文献】
【０００４】
【特許文献１】特開２０１３−２４６１８３号公報
【発明の概要】
【発明が解決しようとする課題】
【０００５】
しかしながら、特許文献１に記載の光源装置は、冷却ファンから送風された冷却風のうち、回転部材の開口部を通過した冷却風を利用する構成なので、回転部材で遮断された冷却風が利用されないという課題がある。すなわち、冷却ファンの能力を充分発揮できないという課題がある。これによって、特許文献１に記載の技術では、大型の冷却ファンの採用によるプロジェクターの大型化や、冷却ファンの高速回転による騒音の増大化の恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係る光源装置は、光源と、前記光源から射出された光を反射するリフレクターと、前記光源および前記リフレクターを収納し、前記光源の光軸に沿う方向から見て前記光源を囲む領域に設けられた壁面を有し、当該壁面に複数の通気孔が形成された光源用筐体と、前記壁面に沿う回転により前記複数の通気孔を個別に開閉する複数の回転体と、前記光源用筐体の外部から空気を導入する導入口を有し、前記複数の通気孔に連通可能な流路と、を備え、前記壁面は、前記光軸と交差する方向に延出し、前記複数の通気孔は、前記光軸が水平面に沿うような第１姿勢において、前記光軸を通る水平面の両側に設けられ、当該複数の通気孔それぞれは、前記回転体の回転中心の前記光軸側に形成され、前記回転体は、前記通気孔を閉塞する閉塞部、前記通気孔を開口させる開口部、および自重によって前記開口部が前記閉塞部より下になるように前記開口部の前記閉塞部側とは反対側の周縁に設けられた重り部を有していることを特徴とする。
【０００８】
ここで、光軸に交差する方向とは、光軸に直交する面およびこの面に対して傾斜する面に沿う方向をいう。
この構成によれば、光源用筐体には、光軸と交差する方向に延出する壁面が設けられ、この壁面には、流路に連通する複数の通気孔が形成されている。そして、壁面に沿って回転する回転体には、上述した重り部が設けられている。これによって、回転体は、光軸が水平面に沿うような第１姿勢において、自重により開口部が閉塞部の下側に位置付けられる。つまり、回転体は、第１姿勢において、閉塞部が回転中心の上側に位置し、開口部が回転中心の下側に位置する状態となる。通気孔は、回転体の回転中心の光軸側に設けられているので、第１姿勢において、光軸を通る水平面の上側に位置する通気孔（上側通気孔）は、回転中心の下側となり、この水平面の下側に位置する通気孔（下側通気孔）は、回転中心の上側となる。よって、回転体は、上側通気孔においては、開口部によって開口させる面積を大きくし、下側通気孔においては、閉塞部によって閉塞させる面積を大きくすることが可能となる。よって、導入口から導入された空気を光源の下側よりも上側に、より多く送風することができる。よって、光源装置は、第１姿勢であれば、回転されても、光源の適切な冷却が可能となる。
また、通気孔が回転中心の光軸側に形成されているので、通気孔が回転中心の光軸とは反対側に形成される構成に比べ、光源用筐体の小型化、ひいては光源装置の小型化が可能となる。
さらに、光源装置は、回転体が流路の下流側で通気孔を開閉し、導入口では流入する空気を制限しない構成なので、外部の冷却ファンから送風される空気を有効に利用して光源を冷却することができる。
したがって、冷却ファンの性能を充分発揮させて光源の劣化を効率良く抑制しつつ、使用シーンを広げた光源装置、および小型化が可能な光源装置の提供が可能となる。
【０００９】
［適用例２］上記適用例に係る光源装置において、前記複数の通気孔は、周方向に配設されていることが好ましい。
【００１０】
この構成によれば、複数の通気孔は、光軸を内側とする周方向に沿って配置されるので、光源に対する各通気孔の距離の差を小さくすることができる。よって、第１姿勢における姿勢の変更に応じて変わる開口する通気孔と光源との距離の差を小さくできるとともに、光源用筐体の大型化を抑制できる。よって、第１姿勢における姿勢の変更においても安定して光源の適切な冷却が可能になるとともに、光源装置の小型化が図れる。
【００１１】
［適用例３］上記適用例に係る光源装置において、前記壁面は、前記光源用筐体の外面側に設けられ、当該光源装置は、前記複数の回転体を囲み、前記光源用筐体とで、前記流路を形成するダクト部材を備えることが好ましい。
【００１２】
この構成によれば、複数の回転体は、光源用筐体の外面側に配置され、通気孔における空気の入口を開閉することになる。そして、導入口から導入した空気は、ダクト部材と光源用筐体との間を流れ、回転体によって開口された通気孔から光源用筐体内に流入して光源を冷却する。これによって、複数の回転体が光源用筐体の内面側に配置され、通気孔における空気の出口を開閉する構成に比べ、光源用筐体内の形状や構成を簡素化し、回転体および回転体を回転可能に支持する部材の熱や光による劣化を抑制する構成が可能となる。
【００１３】
［適用例４］上記適用例に係る光源装置において、前記壁面における前記通気孔の周縁の少なくとも一部は、前記光軸に沿う方向から見て前記リフレクター周縁の内側に位置していることが好ましい。
【００１４】
この構成によれば、通気孔における空気の入口が上述したリフレクター周縁の内側に位置していることとなる。これによって、通気孔における空気の入口と出口との間を傾斜させたり、屈曲させたりすることなく、流路を流れた空気を滑らかにリフレクター内の光源に送風することが可能となる。よって、光源のさらに効率的な冷却が可能となる。
【００１５】
［適用例５］上記適用例に係る光源装置において、前記複数の通気孔は、前記光軸を中心とする円周方向に配設され、前記第１姿勢のうちの所定の姿勢において、前記光軸を通る水平面の上側に位置する第１通気孔および一対の第２通気孔と、前記水平面の下側に位置する第３通気孔および一対の第４通気孔とを有し、前記所定の姿勢において、前記第１通気孔および前記第３通気孔は、前記光軸を通る鉛直面が通る位置に形成され、前記一対の第２通気孔および前記一対の第４通気孔は、前記水平面と前記鉛直面との間に形成されていることが好ましい。
【００１６】
この構成によれば、所定の姿勢において、第１通気孔は、光源の上方に位置し、一対の第２通気孔は、光源の斜め上方に位置し、第３通気孔は、光源の下方に位置し、一対の第４通気孔は、光源の斜め下方に位置する。これによって、回転体によって、第１通気孔を開口させ、第３通気孔を閉塞させることが可能となる。また、一対の第２通気孔および一対の第４通気孔においては、回転体によって、各第４通気孔が開口する面積より、各第２通気孔が開口する面積を大きくすることが可能となる。よって、所定の姿勢で、確実に光源を適切に冷却できる。
また、第１姿勢であれば、所定の姿勢から０°〜３６０°の範囲で回転された姿勢において、複数の通気孔のうちのいずれかが光源の上方に位置するように構成することが可能なので、上側通気孔の開口面積を下側通気孔の開口面積より大きくし、導入口から導入された空気を光源の下側よりも上側に、より多く送風することが可能となる。
したがって、第１姿勢であれば、所定の姿勢から０°〜３６０°の範囲で回転された姿勢において、確実に光源を適切に冷却することが可能となる。
【００１７】
［適用例６］上記適用例に係る光源装置において、前記回転体は、平面視円形に形成され、前記重り部は、前記閉塞部に対し、前記壁面とは反対側に突出していることが好ましい。
【００１８】
この構成によれば、平面視における回転体の回転領域をコンパクトに構成しつつ、開口部の閉塞部側とは反対側の周縁に重り部を設けることができる。よって、回転体近傍に他の部材を配置するスペースを確保しつつ、バランス良く回転可能な回転体の形成が可能となる。
【００１９】
［適用例７］上記適用例に係る光源装置において、前記壁面は、当該光源装置の光路前段側および光路後段側のいずれか一方に向かう程、前記光軸から遠ざかるように傾斜していることが好ましい。
【００２０】
この構成によれば、上述したように、壁面が傾斜しているので、光軸が水平面に交差（例えば、略直交）する第２姿勢において、全ての回転体における重り部（開口部）が回転体の回転中心の光軸側に位置するように構成することが可能となる。通気孔は、回転中心の光軸側に形成されているので、全ての通気孔を開口させ、導入口から導入された空気が全ての通気孔から光源の側方に向けて送風されるように構成することが可能となる。よって、第２姿勢においても、光源の適切な冷却が可能となる。
【００２１】
［適用例８］本適用例に係るプロジェクターは、上記に記載の光源装置と、前記光源装置から射出された光を変調する光変調装置と、前記光変調装置にて変調された光を投写する投写光学装置と、前記光源装置に冷却空気を送風する冷却ファンと、を備えることを特徴とする。
【００２２】
この構成によれば、プロジェクターは、上述した光源装置を備えているので、第１姿勢であれば、光軸に平行な軸を中心に０°〜３６０°の範囲で回転された姿勢において、光源の劣化を抑制して画像の投写が可能となる。よって、壁に沿う投写面への投写はもとより、様々な方向への投写が可能なので、広い用途で、長期に亘って安定した画像の投写が可能なプロジェクターを提供できる。
【図面の簡単な説明】
【００２３】
【図１】本実施形態のプロジェクターの概略構成を示す模式図。
【図２】本実施形態の光源およびリフレクターの断面図。
【図３】本実施形態の光源装置の斜視図。
【図４】本実施形態の光源装置の断面図。
【図５】本実施形態の光源装置の分解斜視図。
【図６】本実施形態の筐体本体の平面図。
【図７】本実施形態の回転体および支持体の斜視図。
【図８】本実施形態の光源装置の断面図。
【図９】第１姿勢における空気の流れを説明するための図。
【図１０】横置き姿勢における各通気孔と各回転体との関係を示す図。
【図１１】第２姿勢における空気の流れを説明するための図。
【図１２】変形例における光源装置の断面図。
【発明を実施するための形態】
【００２４】
以下、本実施形態に係るプロジェクターについて、図面を参照して説明する。
本実施形態のプロジェクターは、光源から射出された光を画像情報に応じて変調し、変調した光をスクリーン等の投写面に拡大投写する。また、本実施形態のプロジェクターは、机上等に載置され、室内の壁等に沿う投写面に横長の画像を投写する所定の姿勢としての横置き姿勢、および投写面に対向する側から見て、横置き姿勢から反時計回りに９０°回転され、投写面に縦長の画像を投写する縦置き姿勢が可能に構成されている。また、本実施形態のプロジェクターは、横長の画像を投写する場合には、横置き姿勢に限らず、投写方向が壁から床や天井の方向に変わるように回転された姿勢（０°〜３６０°の範囲で回転された姿勢）での投写が可能に構成されている。
【００２５】
〔プロジェクターの主な構成〕
図１は、本実施形態のプロジェクター１の概略構成を示す模式図である。
図１に示すように、プロジェクター１は、外装を構成する外装筐体２、制御部（図示省略）、光源３１１を有する光学ユニット３、および冷却装置４を備える。なお、図示は省略するが、外装筐体２の内部には、さらに、光源３１１や制御部および冷却装置４等に電力を供給する電源装置等が配置されている。
【００２６】
外装筐体２は、詳細な説明は省略するが、複数の部材で構成され、外気を取り込む吸気口、および外装筐体２内部の温まった空気を外部に排気する排気口等が設けられている。
【００２７】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置４に備えられたファンの駆動等の制御等行う。
【００２８】
〔光学ユニットの構成〕
光学ユニット３は、制御部による制御の下、光源装置３１から射出された光を光学的に処理して投写する。
光学ユニット３は、図１に示すように、光源３１１を有する光源装置３１、インテグレーター照明光学系３２、色分離光学系３３、リレー光学系３４、電気光学装置３５、投写光学装置としての投写レンズ３６、およびこれらの光学部品３１〜３６を光路上の所定位置に配置する光学部品用筐体３７を備える。
【００２９】
光学ユニット３は、図１に示すように、一方の端部に光源装置３１が着脱可能に配置され、他方の端部に投写レンズ３６が配置される。光源３１１および投写レンズ３６は、互いの光軸（光源３１１の光軸を３１Ａｘ、投写レンズ３６の光軸を３６Ａｘとする）が交差する方向、本実施形態では直交する方向に延出するように配置される。
そして、プロジェクター１は、光軸３１Ａｘが水平面に沿うような第１姿勢で横長の画像を投写し、光軸３１Ａｘが水平面に交差（本実施形態では略直交）する第２姿勢（縦置き姿勢）で縦長の画像を投写する。第１姿勢は、光軸３１Ａｘが水平面に沿う姿勢であれば横置き姿勢に限らず、横置き姿勢から光軸３１Ａｘに平行な軸を中心にプロジェクター１が０°〜３６０°の範囲で回転された全姿勢となる。なお、以下では、説明の便宜上、プロジェクター１において、光源装置３１から光が射出される方向を＋Ｘ側、投写面側を＋Ｙ側（前側）、横置き姿勢における鉛直方向上側を＋Ｚ側として記載する。
【００３０】
光源装置３１は、超高圧水銀ランプやメタルハライドランプ等からなる放電型の光源３１１、リフレクター３１２、平行化レンズ３１３、光源用筐体５、開閉機構６、およびダクト部材７を備える。光源装置３１は、光源３１１から射出された光をリフレクター３１２にて反射した後、平行化レンズ３１３によって射出方向を揃え、インテグレーター照明光学系３２に向けて射出する。
【００３１】
図２は、光源３１１およびリフレクター３１２の断面図である。
光源３１１は、図２に示すように、発光管３１１１、一対の電極３１１２，３１１３、リード線３１１４，３１１５、および金属箔３１１６を備える。
発光管３１１１は、石英ガラス等の耐熱ガラスで形成され、図２に示すように、中央に設けられた球状の発光部３１１１ａ、およびこの発光部３１１１ａの両側から延出する一対の封止部３１１１ｂ，３１１１ｃを有している。
【００３２】
発光部３１１１ａ内には、水銀、希ガス、およびハロゲン等が封入された放電空間が形成されており、一対の電極３１１２，３１１３は、互いの先端がこの放電空間に近接対向して配置されている。
一対の封止部３１１１ｂ，３１１１ｃの内部には、電極３１１２，３１１３それぞれと電気的に接続される一対の金属箔３１１６が配置されている。
リード線３１１４，３１１５は、一端が金属箔３１１６を介して電極３１１２，３１１３それぞれに接続され、他端が封止部３１１１ｂ，３１１１ｃの外部まで延出している。光源３１１は、これらリード線３１１４，３１１５に電力が供給されると、対向している電極３１１２，３１１３の間で放電が発生して光を射出する。
【００３３】
光源３１１は、放電発光に伴う発熱によって対流が生じるため、対向する一対の電極３１１２，３１１３間に生じるアークは、鉛直方向における中心位置が、電極３１１２，３１１３間の中心位置よりも上側にずれたものとなる。そのため、発光部３１１１ａは、上側の方が下側よりも温度上昇が大きく、特に、光軸３１Ａｘが水平面に沿うような第１姿勢においては、発光部３１１１ａの上側表面付近の温度が上昇し易くなる。
そこで、光源の劣化を抑制するためには、発光部３１１１ａの上側から冷却し、発光部３１１１ａの上側と下側とで温度差が生じないようにすることが望まれる。
また、発光部３１１１ａから射出される光の領域内に位置する封止部３１１１ｂも温度上昇し易く、例えば、金属箔３１１６とリード線３１１４との接続部等は温度上昇が大きい。そのため、光源３１１を冷却する際は、発光部３１１１ａだけでなく、封止部３１１１ｂも効果的に冷却することが望まれる。
【００３４】
リフレクター３１２は、図２に示すように、筒状の首状部３１２１および首状部３１２１から断面略凹状に拡がる反射部３１２２を有している。
首状部３１２１には、一方の封止部３１１１ｃが挿通される挿通孔が設けられており、光源３１１は、封止部３１１１ｂが首状部３１２１とは反対側に位置し、封止部３１１１ｃとこの挿通孔との間に接着剤が注入されて、リフレクター３１２に固定される。
反射部３１２２は、内面に金属薄膜が蒸着されており、発光部３１１１ａから射出された光を首状部３１２１とは反対側に反射する。
また、リフレクター３１２には、図２に示すように、首状部３１２１の一部に反射部３１２２の内側から外側に開口する開口部３１２３が形成されている。
【００３５】
図１に戻って、光源用筐体５は、光源３１１およびリフレクター３１２を収納し、平行化レンズ３１３を保持する。光源用筐体５には、後で詳細に説明するが、複数の通気孔５２Ａが設けられている。
ダクト部材７は、光源用筐体５とで複数の通気孔５２Ａに連通可能な流路７Ｆを形成する。流路７Ｆは、冷却装置４の後述する冷却ファン４１から送風された空気を導入する導入口７Ｇを有し、複数の通気孔５２Ａに連通可能に形成されている。
【００３６】
開閉機構６は、複数の回転体６１を備え、プロジェクター１の姿勢に応じて光源用筐体５の複数の通気孔５２Ａを選択的に開閉する。そして、冷却ファン４１から送風された空気は、流路７Ｆを流通し、プロジェクター１の姿勢に応じて開口する通気孔５２Ａから光源用筐体５内に流入し、光源３１１を冷却する。光源用筐体５、開閉機構６およびダクト部材７については後で詳細に説明する。
【００３７】
インテグレーター照明光学系３２は、図１に示すように、レンズアレイ３２１，３２２、偏光変換素子３２３、および重畳レンズ３２４を備える。レンズアレイ３２１，３２２、および重畳レンズ３２４は、光源装置３１から射出された光を後述する液晶ライトバルブ３５１の表面で略均一化させる。偏光変換素子３２３は、レンズアレイ３２２から射出されたランダム光を後述する光変調装置としての液晶ライトバルブ３５１で利用可能な直線偏光光に揃える。
【００３８】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３９】
リレー光学系３４は、入射側レンズ３４１、リレーレンズ３４３、および反射ミラー３４２，３４４を備え、色分離光学系３３で分離されたＲ光をＲ光用の液晶ライトバルブ３５１まで導く機能を有する。なお、光学ユニット３は、リレー光学系３４がＲ光を導く構成としているが、これに限らず、例えば、Ｂ光を導く構成としてもよい。
【００４０】
電気光学装置３５は、液晶ライトバルブ３５１および色合成光学装置としてクロスダイクロイックプリズム３５２を備え、色分離光学系３３で分離された各色光を画像情報に応じて変調し、変調した各色光を合成する。
【００４１】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、および液晶パネルの光入射側に配置された入射側偏光板、液晶パネルの光射出側に配置された射出側偏光板を有している。
【００４２】
液晶ライトバルブ３５１は、図示しない微小画素がマトリクス状に形成された矩形状の画素領域を有し、各画素が表示画像信号に応じた光透過率に設定され、画素領域内に表示画像を形成する。そして、色分離光学系３３で分離された各色光は、液晶ライトバルブ３５１にて変調された後、クロスダイクロイックプリズム３５２に射出される。
【００４３】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００４４】
投写レンズ３６は、複数のレンズ（図示省略）を有して構成され、クロスダイクロイックプリズム３５２にて合成された光を投写面上に拡大投写する。
【００４５】
冷却装置４は、図１に示すように、光源装置３１の後方（−Ｙ方向）に配置される冷却ファン４１、光源装置３１の前方（＋Ｙ方向）に配置される排気ファン４２、および図示しない吸気ファンや空気を導く部材等を備えている。
冷却ファン４１は、光源装置３１に冷却空気を送風し、光源３１１等を冷却する。冷却ファン４１は、例えば、羽根の回転中心軸に沿う方向から取り込んだ空気を回転接線方向に送風するシロッコファンで構成されている。
図示しない吸気ファンは、外装筐体２の吸気口から外気を取り込み、取り込まれた外気は、図示しない部材に導かれて液晶ライトバルブ３５１等の光学素子を冷却する。
排気ファン４２は、例えば、軸流ファンであり、光源装置３１や液晶ライトバルブ３５１等を冷却して暖まった外装筐体２内部の空気を、外装筐体２の排気口から外部に排出する。
【００４６】
〔光源用筐体、開閉機構およびダクト部材の構成〕
ここで、光源用筐体５、開閉機構６およびダクト部材７について、詳細に説明する。
先ず、光源用筐体５について説明する。
図３は、光源装置３１の斜視図である。図４は、横置き姿勢における光源装置３１を−Ｙ側から見た断面図である。
光源用筐体５は、図３、図４に示すように、光源用筐体５の＋Ｘ側を形成する筐体本体５Ａ、および光源用筐体５の−Ｘ側を形成し、筐体本体５Ａとで光源３１１およびリフレクター３１２を収納するカバー５Ｂを備える。
【００４７】
図５は、光源装置３１の分解斜視図であり、筐体本体５Ａ、開閉機構６、およびダクト部材７を示す図である。具体的に、図５（ａ）は、＋Ｘ側斜めから見た図、図５（ｂ）は、−Ｘ側斜めから見た図である。
筐体本体５Ａは、図５（ａ）に示すように、平行化レンズ３１３を保持するレンズ保持部５１、レンズ保持部５１の−Ｘ側に順次形成された通気孔形成部５２、およびベース部５３を有している。
【００４８】
図６は、＋Ｘ側から見た筐体本体５Ａの平面図である。
レンズ保持部５１は、図５、図６に示すように、外形形状が平面視八角形状に形成されており、横置き姿勢において、水平面に倣う上面５１Ｕ、下面５１Ｄ、鉛直面に倣う側面（＋Ｘ側から見て右側の側面を５１Ｒ、左側の側面を５１Ｌとする）、および４つの斜面を有している。なお、上面５１Ｕと側面５１Ｒとの間、上面５１Ｕと側面５１Ｌとの間、下面５１Ｄと側面５１Ｒとの間、下面５１Ｄと側面５１Ｌとの間、それぞれの斜面を５１ＵＲ，５１ＵＬ，５１ＤＲ，５１ＤＬとする。
レンズ保持部５１の側面５１Ｌ以外の各面は、＋Ｘ側が−Ｘ側より凹んで形成されており、側面５１Ｌの上下の端部には、＋Ｙ方向に突出し、ベース部５３に繋がる一対の板状部５１１が形成されている。
【００４９】
通気孔形成部５２は、レンズ保持部５１の外周面から突出して筒状に形成されており、＋Ｘ側を形成する壁部５２Ｗを有している。壁部５２Ｗには、光軸３１Ａｘに交差する方向に延出し、筐体本体５Ａの外面の一部を形成する複数の壁面５２１が形成されている。複数の壁面５２１は、レンズ保持部５１の周囲、すなわち、光軸３１Ａｘに沿う方向から見て光源３１１を囲む領域に、周方向に沿って配設されている。
【００５０】
具体的に、壁面５２１は、図６に示すように、レンズ保持部５１の上面５１Ｕに隣接する第１壁面５２１ａ、斜面５１ＵＲ，５１ＵＬにそれぞれ隣接する一対の第２壁面５２１ｂ、下面５１Ｄに隣接する第３壁面５２１ｃ、および斜面５１ＤＲ，５１ＤＬにそれぞれ隣接する一対の第４壁面５２１ｄを有している。すなわち、これら複数の壁面５２１は、第１姿勢において、光軸３１Ａｘを通る水平面の両側に設けられている。また、横置き姿勢（所定の姿勢）において、図６に示すように、第１壁面５２１ａおよび一対の第２壁面５２１ｂは、光軸３１Ａｘを通る水平面Ｓｈの上側に位置し、第３壁面５２１ｃおよび一対の第４壁面５２１ｄは、水平面Ｓｈの下側に位置する。
【００５１】
各壁面５２１は、−Ｘ側、つまり光路前段側に向かう程、光軸３１Ａｘから遠ざかるように傾斜している。すなわち、各壁面５２１は、光軸３１Ａｘと交差する方向に延出している。本実施形態の各壁面５２１は、光軸３１Ａｘに直交する面に対し、４５°程度傾斜している。また、各壁面５２１の光軸３１Ａｘに直交する面に対する傾斜角は、４５°に限らず、例えば、４０°〜５０°の範囲であってもよい。
各壁面５２１は、光路前段側の端部が光路後段側の端部より長い台形状に形成されており、各壁面５２１を光軸３１Ａｘ側に伸張させると、多角錐状に模した形状になるように、環状に配設されている。
【００５２】
具体的に、一対の第２壁面５２１ｂは、第１壁面５２１ａに対し、光軸３１Ａｘ側に屈曲されたように形成され、一対の第４壁面５２１ｄは、第３壁面５２１ｃに対し、光軸３１Ａｘ側に屈曲されたように形成されている。そして、第２壁面５２１ｂおよび第４壁面５２１ｄは、図６に示すように、横置き姿勢（所定の姿勢）において、光軸３１Ａｘに直交する面が交差して形成される直線の垂線Ｌｐが光軸３１Ａｘを通り、この垂線Ｌｐが光軸３１Ａｘを通る鉛直面Ｓｖに対して４５°程度になるように形成されている。
【００５３】
そして、各壁面５２１には、図６に示すように、通気孔５２Ａがそれぞれ形成されている。通気孔５２Ａは、筐体本体５Ａの外側から内側に貫通する貫通孔であり、筐体本体５Ａとダクト部材７とで形成される流路７Ｆを流れた空気が、この通気孔５２Ａから筐体本体５Ａ内に流入可能に形成されている。具体的に、第１壁面５２１ａ、第２壁面５２１ｂ、第３壁面５２１ｃ、および第４壁面５２１ｄには、第１通気孔５２Ａａ、第２通気孔５２Ａｂ、第３通気孔５２Ａｃ、第４通気孔５２Ａｄがそれぞれ形成されている。
【００５４】
これら複数の通気孔５２Ａは、環状に配設されている。より具体的に、複数の通気孔５２Ａは、光軸３１Ａｘを中心とする円周方向に形成されており、複数の壁面５２１と同様に、第１姿勢において、光軸３１Ａｘを通る水平面の両側に設けられ、また、横置き姿勢（所定の姿勢）において、第１通気孔５２Ａａおよび一対の第２通気孔５２Ａｂは、水平面Ｓｈの上側に位置し、第３通気孔５２Ａｃおよび一対の第４通気孔５２Ａｄは、水平面Ｓｈの下側に位置する。
また、所定の姿勢において、第１通気孔５２Ａａおよび第３通気孔５２Ａｃは、鉛直面Ｓｖが通る位置に形成され、一対の第２通気孔５２Ａｂおよび一対の第４通気孔５２Ａｄは、水平面Ｓｈと鉛直面Ｓｖとの間に形成されている。本実施形態では、一対の第２通気孔５２Ａｂおよび一対の第４通気孔５２Ａｄは、光軸３１Ａｘを通り、鉛直面に対して４５°傾斜する斜面Ｓｓが通る位置に形成されている。
【００５５】
また、通気孔形成部５２には、図５に示すように、各壁面５２１の外縁近傍、すなわち、通気孔５２Ａの光軸３１Ａｘ側とは反対側に、回転体６１を回転自在に支持するため軸受部５２２が形成されている。軸受部５２２は、丸孔および丸孔の内周縁部が壁面５２１より僅かに筒状に突出して形成されており、この丸孔の中心軸５２２Ｓが回転体６１の回転中心となる。すなわち、各通気孔５２Ａは、中心軸５２２Ｓの光軸３１Ａｘ側に形成されており、壁面５２１における周縁形状は、中心軸５２２Ｓ側が光軸３１Ａｘ側より大きい台形状に形成されている。
また、各通気孔５２Ａは、図４に示すように、壁面５２１における周縁の少なくとも一部が光軸３１Ａｘに沿う方向から見て、リフレクター３１２周縁の内側に位置している。
【００５６】
また、通気孔形成部５２は、図５（ａ）に示すように、レンズ保持部５１の側面５１Ｒに隣接する側壁５２３を有し、この側壁５２３には、ベース部５３に繋がる矩形状の突出部５２４が形成されている。そして、この突出部５２４の中央には、±Ｙ方向に貫通する貫通孔が形成されており、この貫通孔の−Ｙ側の縁部は、冷却ファン４１から送風される空気の一部が導入される補助導入口５２Ｇとなり、貫通孔の＋Ｙ側の縁部は、補助導入口５２Ｇから導入された空気が光源用筐体５内部に流入する流入口５２５（図５（ｂ）参照）となる。流入口５２５は、光源３１１における封止部３１１１ｂ（図２参照）の−Ｙ方向に位置するように形成されている。
【００５７】
また、通気孔形成部５２には、側壁５２３に対向する側の側壁に、図５（ｂ）に示すように、排出口５２６が形成されている。排出口５２６は、流入口５２５に対向する位置に設けられており、光源用筐体５内に導入された空気の一部は、この排出口５２６から光源装置３１外部に排出される。なお、排出口５２６には、図示しないメッシュ状の部材が配置されており、発光管３１１１が破損した場合に、破片が光源装置３１の外部に飛散することを防ぐように構成されている。
【００５８】
ベース部５３は、図５（ａ）に示すように、通気孔形成部５２の外面より突出しており、−Ｘ側の縁部には、平面視矩形状のフランジ部５３１が設けられている。フランジ部５３１の四隅のうち対角となる位置には、ネジが挿通される挿通孔５３１ｈが形成されている。筐体本体５Ａとカバー５Ｂとは、この挿通孔５３１ｈから挿通されたネジによって固定される。
ベース部５３は、図５（ｂ）に示すように、周縁部の内側が＋Ｘ側に窪む凹部５３２を有し、この凹部５３２は、通気孔形成部５２の内面と繋がるように形成されている。リフレクター３１２は、凹部５３２に配置され、リフレクター３１２に固定された光源３１１は、封止部３１１１ｂ（図２参照）の先端が通気孔形成部５２の内側に配置される。
【００５９】
開閉機構６は、図５に示すように、各通気孔５２Ａに対応して設けられた複数の回転体６１および支持部材６２（図７参照）を備え、各通気孔５２Ａを個別に開閉する。複数の回転体６１および支持部材６２は共通に形成されている。
図７は、回転体６１および支持部材６２の斜視図であり、（ａ）は外側となる方向から見た図、（ｂ）は内側となる方向から見た図である。
回転体６１は、金属製で平面視円形に形成されており、図７に示すように、板状部６１１および板状部６１１周縁の一部から突出する重り部６１２を有している。
【００６０】
板状部６１１には、中心に形成された丸孔６１ｈ、および周縁部を残して円形の略半分の領域に形成された開口部６１ａが設けられている。
丸孔６１ｈは、支持部材６２の後述する軸部６２１が挿通される孔であり、中心の軸が軸受部５２２の中心軸５２２Ｓと同軸となる。
開口部６１ａは、通気孔５２Ａを全開にさせる大きさに形成されている。板状部６１１における開口部６１ａとは反対側の領域は、通気孔５２Ａを閉塞する大きさに形成されており、通気孔５２Ａを閉塞する閉塞部６１ｂとして機能する。
重り部６１２は、開口部６１ａの閉塞部６１ｂ側とは反対側の周縁から板状部６１１の一方の側に突出している。重り部６１２は、閉塞部６１ｂの重量より大きな重量を有している。
【００６１】
支持部材６２は、筐体本体５Ａの軸受部５２２とで回転体６１を回転自在に支持する。
支持部材６２は、図７に示すように、丸孔６１ｈに挿通される軸部６２１、軸部６２１の一方側に形成されたネジ部６２２、および軸部６２１の他方側に形成されたネジ頭部６２３を有している。
支持部材６２は、回転体６１の丸孔６１ｈに軸部６２１が挿通され、ネジ部６２２が軸受部５２２に設けられたネジ孔に螺合されて筐体本体５Ａに固定される。回転体６１は、回転方向において、軸部６２１に支持され、中心軸５２２Ｓに沿う方向が軸部６２１とネジ頭部６２３とに支持されて回転自在に配置される。
【００６２】
図８は、光源装置３１のＹ−Ｚ平面における断面図であり、横置き姿勢における光源装置３１を＋Ｘ側から見た図である。なお、図８は、支持部材６２については、１つを示し、他を省略した図である。
各回転体６１は、図８に示すように、板状部６１１の重り部６１２とは反対側が壁面５２１に対向して各壁面５２１に配置される。すなわち、回転体６１は、閉塞部６１ｂに対し、壁面５２１とは反対側に重り部６１２が突出して配置される。
そして、各回転体６１は、光源装置３１の姿勢に応じて自重により各壁面５２１に沿って回転し、開口部６１ａが閉塞部６１ｂの下方に位置する状態となる。
【００６３】
次に、ダクト部材７について説明する。
ダクト部材７は、筐体本体５Ａとで流路７Ｆを形成する。
ダクト部材７は、図４、図５に示すように、−Ｘ側が開口する筒状に形成されている。ダクト部材７は、＋Ｘ側を形成する壁部にレンズ保持部５１の＋Ｘ側が挿通される挿通孔７１が形成され、複数の回転体６１および通気孔形成部５２を囲み、ベース部５３まで延出している。
【００６４】
ダクト部材７は、−Ｘ側の側壁に筐体本体５Ａの側壁５２３を露出させるような開口部７２が形成されており、図３に示すように、この開口部７２に筐体本体５Ａの突出部５２４（補助導入口５２Ｇ）が配置されるように形成されている。そして、開口部７２の縁部と突出部５２４との間に形成される開口で導入口７Ｇが形成される。このように、ダクト部材７は、内部が導入口７Ｇに連通するように形成され、導入口７Ｇおよび補助導入口５２Ｇは、光源装置３１の−Ｙ側に並設されている。
また、ダクト部材７は、図５に示すように、＋Ｙ側の壁部に筐体本体５Ａの排出口５２６と連通する開口部７３が設けられている。
【００６５】
ダクト部材７は、筐体本体５Ａにネジ固定される。
そして、ダクト部材７と筐体本体５Ａとの間には、図８に示すように、導入口７Ｇに連通する流路７Ｆが形成される。具体的に、流路７Ｆは、図４に示すように、光軸３１Ａｘに沿う方向がダクト部材７とベース部５３とで囲まれ、図８に示すように、光軸３１Ａｘに直交する方向が、ダクト部材７と、レンズ保持部５１および一対の板状部５１１とで囲まれた領域に形成される。
【００６６】
図３に戻って、カバー５Ｂは、筐体本体５Ａのフランジ部５３１に組み合わされるように形成され、リフレクター３１２の−Ｘ側を覆う。カバー５Ｂには、図３に示すように、−Ｙ側の壁部に排出口５５が形成され、図４に示すように、＋Ｙ側の壁部に排出口５６が形成されている。
【００６７】
〔空気の流れ〕
ここで、冷却ファン４１から送風された空気の流れについて説明する。
冷却ファン４１から送風された空気は、導入口７Ｇおよび補助導入口５２Ｇから流入して光源装置３１を冷却する。
補助導入口５２Ｇから流入した空気は、プロジェクター１の姿勢に係わらず流入口５２５（図５（ｂ）参照）から光源用筐体５内に流入し、封止部３１１１ｂに向けて送風され、金属箔３１１６とリード線３１１４（いずれも図２参照）とが接続する部位等を主に冷却する。
図８に示すように、導入口７Ｇから流入した空気は、ダクト部材７の内部に流入し、プロジェクター１の姿勢に応じて選択的に開口される通気孔５２Ａから光源３１１に向けて送風される。
【００６８】
以下、導入口７Ｇから流入した空気の流れについて説明する。
プロジェクター１は、前述したように、第１姿勢（所定の姿勢としての横置き姿勢を含む）および第２姿勢（縦置き姿勢）で投写可能に構成され、開閉機構６は、プロジェクター１の姿勢に応じて複数の通気孔５２Ａを選択的に開閉する。
【００６９】
先ず、第１姿勢における光源装置３１の空気の流れについて、第１姿勢のうちのいくつかの姿勢を例示して説明する。
図９は、第１姿勢のうちの横置き姿勢（所定の姿勢）、および横置き姿勢から光軸３１Ａｘに平行な軸を中心に順次９０°回転された各姿勢における空気の流れを説明するための図である。具体的に、図９（ａ）は、第１姿勢におけるプロジェクター１を＋Ｘ側から見た模式図であり、横置き姿勢におけるプロジェクター１を実線で示し、他の姿勢を二点鎖線で示した図である。図９（ｂ）は机の上面等の載置面ＴＡに横置き姿勢で載置されたプロジェクター１を＋Ｙ側から見た模式図である。図９（ｃ）〜（ｆ）は、各姿勢における光源装置３１の通気孔５２Ａの状態を説明するための図であり、（ｃ）は、横置き姿勢の状態を示す図、（ｄ）〜（ｆ）は、横置き姿勢から順次９０°回転された各姿勢での通気孔５２Ａの状態を示す図である。
【００７０】
プロジェクター１は、横置き姿勢の場合、図９（ａ）、（ｂ）示すように、光軸３１Ａｘ，３６Ａｘが載置面ＴＡに略平行となり、壁に沿うように配置されたスクリーンＳＣに横長の画像を投写する。
各回転体６１は、開口部６１ａが閉塞部６１ｂの下方に位置する状態となるので、複数の通気孔５２Ａは、形成された位置に応じて開閉状態が異なる。
図１０は、横置き姿勢における各通気孔５２Ａと各回転体６１との関係を示す図である。
横置き姿勢において、第１通気孔５２Ａａは、図１０（ａ）に示すように、回転体６１の開口部６１ａによって全体が露出する状態となる。一対の第２通気孔５２Ａｂそれぞれは、図１０（ｂ）、（ｃ）に示すように、上側の隅部が閉塞部６１ｂによって閉塞される。第３通気孔５２Ａｃは、図１０（ｄ）に示すように、閉塞部６１ｂによって全て閉塞される。そして、一対の第４通気孔５２Ａｄは、図１０（ｅ）、（ｆ）に示すように、下側の隅部が開口するが、他は、閉塞部６１ｂによって閉塞される。すなわち、第２通気孔５２Ａｂの開口面積は、第４通気孔５２Ａｄの開口面積より広いものとなる。
【００７１】
その結果、導入口７Ｇから流入した空気は、図９（ｃ）に示すように、殆どが第１通気孔５２Ａａおよび第２通気孔５２Ａｂから光源用筐体５内に流入し、図４に示すように、リフレクター３１２の内面に沿い、発光部３１１１ａの上側に向けて送風される。すなわち、導入口７Ｇから導入された空気は、発光部３１１１ａの下側よりも上側に、より多く送風される。
【００７２】
プロジェクター１は、横置き姿勢から光軸３１Ａｘに平行な軸を中心に９０°回転（＋Ｘ側から見て時計回りに回転）されると、天井に向けての投写が可能な上向き姿勢となる。
この上向き姿勢において、図９（ｄ）に示すように、一対の第２通気孔５２Ａｂおよび一対の第４通気孔５２Ａｄは、それぞれ一方が光源３１１の上方に位置し、他方が光源３１１の下方に位置する。第１通気孔５２Ａａおよび第３通気孔５２Ａｃにおいては、光源３１１の側方に位置する。
そして、複数の回転体６１は、横置き姿勢から上向き姿勢に変更される際に、壁面５２１に沿って回転し、横置き姿勢と同様に、開口部６１ａが閉塞部６１ｂの下方に位置する状態となる。
【００７３】
この上向き姿勢において、図９（ｄ）に示すように、光源３１１の上方に位置する第２通気孔５２Ａｂおよび第４通気孔５２Ａｄは、上側の隅部が閉塞部６１ｂによって閉塞されるが、殆どが開口する状態となる。光源３１１の側方に位置する第１通気孔５２Ａａおよび第３通気孔５２Ａｃにおいては、上側略半分が閉塞され、下側略半分が開口する。そして、光源３１１の下方に位置する第２通気孔５２Ａｂおよび第４通気孔５２Ａｄにおいては、下側の隅部が開口するが、他は、閉塞部６１ｂによって閉塞される。
【００７４】
その結果、導入口７Ｇから流入した空気は、多くが上側の第２通気孔５２Ａｂおよび第４通気孔５２Ａｄから、発光部３１１１ａの上側に向けて送風され、一部が第１通気孔５２Ａａおよび第３通気孔５２Ａｃから発光部３１１１ａの側方に向けて送風され、僅かな空気が下側の第２通気孔５２Ａｂおよび第４通気孔５２Ａｄから、発光部３１１１ａの下側に向けて送風される。すなわち、導入口７Ｇから流入した空気は、発光部３１１１ａの下側よりも上側に、より多く送風される。
【００７５】
プロジェクター１は、上向き姿勢からさらに９０°回転（＋Ｘ側から見て時計回りに回転）されると、天井等に吊り下げられる天吊り姿勢での投写が可能となる。回転体６１は、壁面５２１に沿って回転し、前述した２つの姿勢と同様に、開口部６１ａが閉塞部６１ｂの下方に位置する状態となる。
天吊り姿勢は、横置き姿勢から１８０°回転された姿勢であり、回転体６１は、天吊り姿勢において、横置き姿勢とは対称に通気孔５２Ａを閉塞する。すなわち、天吊り姿勢において、導入口７Ｇから流入した空気は、殆どが第３通気孔５２Ａｃおよび第４通気孔５２Ａｄから光源用筐体５内に流入してリフレクター３１２の内面に沿い、発光部３１１１ａの上側に向けて送風される。すなわち、導入口７Ｇから導入された空気は、発光部３１１１ａの下側よりも上側に、より多く送風される。
【００７６】
プロジェクター１は、天吊り姿勢からさらに９０°回転（＋Ｘ側から見て時計回りに回転）されると、床面へ向けての投写が可能な下向き姿勢となる。回転体６１は、前述したと同様に、開口部６１ａが閉塞部６１ｂの下方に位置する状態となる。
下向き姿勢は、上向き姿勢から１８０°回転された姿勢であり、回転体６１は、下向き姿勢において、上向き姿勢とは対称に通気孔５２Ａを閉塞する。そして、下向き姿勢において、導入口７Ｇから流入した空気は、上向き姿勢と同様に発光部３１１１ａに送風される。
【００７７】
詳細な説明は省略するが、前述した４つの姿勢の間の姿勢（例えば横置き姿勢と上向き姿勢との間の姿勢等）であっても、第１姿勢であれば、複数の通気孔５２Ａのうちのいずれかが光源３１１の上方に位置する。そして、通気孔５２Ａは、回転体６１の回転中心（中心軸５２２Ｓ）の光軸３１Ａｘ側に設けられているので、第１姿勢において、光源３１１の上方に位置する通気孔５２Ａは、回転中心の下側となり、光源３１１の下方に位置する通気孔５２Ａは、回転中心の上側となる。これによって、回転体６１は、光源３１１の上方に位置する通気孔５２Ａにおいては、開口部６１ａによって開口させる面積を大きくし、光源３１１の下方に位置する通気孔５２Ａにおいては、閉塞部６１ｂによって閉塞させる面積を大きくすることが可能となる。よって、導入口７Ｇから導入された空気を発光部３１１１ａの下側よりも上側に、より多く送風することができる。
【００７８】
そして、光源３１１を冷却して温まった空気は、排出口５２６、開口部７２（図５参照）や、リフレクター３１２に設けられた開口部３１２３（図２参照）、およびカバー５Ｂに設けられた排出口５５（図３参照）、排出口５６（図４参照）を介して光源装置３１外部に排出される。そして、光源装置３１外部に排出された空気は、排気ファン４２によって外装筐体２外部に排出される。
また、光軸３１Ａｘが水平面に対して多少傾斜した姿勢でも、回転体６１は、前述したように動作するので、導入口７Ｇから流入した空気は、発光部３１１１ａの下側よりも上側に、より多く送風される。
【００７９】
次に、第２姿勢（縦置き姿勢）における光源装置３１の空気の流れについて説明する。
図１１は、第２姿勢における光源装置３１の空気の流れを説明するための図である。具体的に、図１１（ａ）は、載置面ＴＡに縦置き姿勢で載置されたプロジェクター１を＋Ｙ側から見た模式図、図１１（ｂ）は、第２姿勢における光源装置３１の断面図である。
本実施形態におけるプロジェクター１の第２姿勢は、図１１（ａ）に示すように、光源装置３１が投写レンズ３６の上方に位置する姿勢、すなわち光源装置３１における光路前段側が光路後段側の上方となる姿勢であり、プロジェクター１は、この第２姿勢で室内の壁等に沿うように配置されたスクリーンＳＣ（図１１では図示省略）に縦長の画像を投写する。
【００８０】
第２姿勢において、回転体６１は、各壁面５２１が光路前段側に向かう程、光軸３１Ａｘから遠ざかるように傾斜しているので、図１１（ｂ）に示すように、開口部６１ａが回転体６１の回転中心（中心軸５２２Ｓ）の光軸３１Ａｘ側となり、全ての通気孔５２Ａは開口した状態となる。その結果、流路７Ｆを流れた空気は、図１１（ｂ）に示すように、通気孔５２Ａから光源用筐体５内に流入してリフレクター３１２の内面に沿い、発光部３１１１ａの側方に向けて送風される。
【００８１】
以上説明したように、本実施形態によれば、以下の効果を得ることができる。
（１）光源装置３１は、第１姿勢において、冷却ファン４１から送風された空気が発光部３１１１ａの下側より上側により多く送風されるように構成されている。よって、第１姿勢であれば、前述したように回転された姿勢でも、光源３１１を適切に冷却することが可能となる。
また、通気孔５２Ａが回転中心（中心軸５２２Ｓ）の光軸３１Ａｘ側に形成されているので、通気孔５２Ａが回転中心の光軸３１Ａｘとは反対側に形成される構成に比べ、光源用筐体５の小型化、ひいては光源装置３１の小型化が可能となる。
さらに、光源装置３１は、回転体６１が流路７Ｆの下流側で通気孔５２Ａを開閉し、導入口７Ｇでは流入する空気を制限しない構成なので、冷却ファン４１から送風される空気を有効に利用して光源３１１を冷却することができる。
したがって、冷却ファン４１の性能を充分発揮させて光源３１１の劣化を効率良く抑制しつつ、使用シーンを広げた光源装置３１、および小型化が可能な光源装置３１の提供が可能となる。
【００８２】
（２）プロジェクター１は、横置き姿勢を含む前述した０°〜３６０°の範囲で回転された姿勢において、光源３１１の劣化が抑制されるので、壁に沿う投写面への投写はもとより、様々な方向への投写、例えば、エントランスホールの床や天井への投写、あるいはそれらの間に位置する投写面への投写等、広い用途で、長期に亘って安定した画像の投写が可能となる。
【００８３】
（３）回転体６１が自重によって通気孔５２Ａを開閉するので、第１姿勢および第２姿勢において、ユーザーの煩わしい操作を必要とすることなく、光源３１１が適切に冷却されるプロジェクター１を提供できる。
【００８４】
（４）複数の回転体６１は、光源用筐体５の外面側に配置され、通気孔５２Ａにおける空気の入口を開閉する。これによって、複数の回転体６１が光源用筐体５の内面側に配置され、通気孔５２Ａにおける空気の出口を開閉する構成に比べ、光源用筐体５内の形状や構成を簡素化し、回転体６１、支持部材６２および軸受部５２２の熱や光による劣化を抑制する構成が可能となる。
【００８５】
（５）複数の回転体６１および流路７Ｆは、光軸３１Ａｘを囲むように、光源用筐体５の外側に設けられるので、一部が著しく突出することが抑制された光源装置３１の提供が可能となる。また、プロジェクター１は、この光源装置３１を備えるので、大型化が抑制される。
【００８６】
（６）壁面５２１における通気孔５２Ａの周縁、すなわち、通気孔５２Ａにおける空気の入口が、光軸３１Ａｘに沿う方向から見て少なくとも一部がリフレクター３１２周縁の内側に位置している。これによって、通気孔５２Ａにおける空気の入口と出口との間を傾斜させたり、屈曲させたりすることなく、流路７Ｆを流れた空気を滑らかにリフレクター３１２内の光源３１１に送風することが可能となる。よって、光源３１１のさらに効率的な冷却が可能となる。
【００８７】
（７）複数の通気孔５２Ａは、前述した第１〜第４通気孔５２Ａを有しているので、第１姿勢であれば、複数の通気孔５２Ａのうちのいずれかが光源３１１の上方に位置する。そして、回転体６１は、光源３１１の上方に位置する通気孔５２Ａにおいては、開口部６１ａによって開口させる面積を大きくし、光源３１１の下方に位置する通気孔５２Ａにおいては、閉塞部６１ｂによって閉塞させる面積を大きくする。よって、第１姿勢であれば、所定の姿勢から０°〜３６０°の範囲で回転された姿勢において、確実に光源３１１を適切に冷却することが可能となる。
【００８８】
（８）回転体６１は、平面視円形に形成され、重り部６１２は、閉塞部６１ｂに対し、壁面５２１とは反対側に突出している。これによって、平面視における回転体６１の回転領域をコンパクトに構成しつつ、開口部６１ａの閉塞部６１ｂ側とは反対側の周縁に重り部６１２を設けることができる。よって、回転体６１近傍までレンズ保持部５１を形成しつつ、バランス良く回転可能な回転体６１の形成が可能となる。よって、光学的性能を確保する大きさの平行化レンズ３１３、および安定して回転可能な回転体６１を備える光源装置３１が可能となる。
【００８９】
（９）壁面５２１は、光軸３１Ａｘに直交する面に対して傾斜しているので、第２姿勢において、全ての回転体６１は、全ての通気孔５２Ａを開口させる状態となる。これによって、導入口７Ｇから導入された空気は、全ての通気孔５２Ａから光源３１１の側方に向けて送風されるので、第２姿勢においても、光源３１１の適切な冷却が可能となる。よって、プロジェクター１は、横長の画像はもとより縦長の画像を安定して投写することができる。
【００９０】
（１０）光源装置３１は、導入口７Ｇに並設された補助導入口５２Ｇから導入された空気で封止部３１１１ｂが冷却される。これによって、第１姿勢および第２姿勢において、光源３１１は、さらに効率良く冷却される。
【００９１】
（変形例）
なお、前記実施形態は、以下のように変更してもよい。
前記実施形態の光源装置３１は、回転体６１が光源用筐体５の外面側、つまり通気孔５２Ａにおける空気の入口側に配置されるように構成されているが、回転体６１が光源用筐体５の内面側、つまり通気孔５２Ａにおける空気の出口側に配置されるように構成してもよい。
【００９２】
前記実施形態の壁面５２１は、光路後前側に向かう程、光軸３１Ａｘから遠ざかるように傾斜しているが、光路後段側に向かう程、光軸３１Ａｘから遠ざかるように傾斜してもよい。この構成の場合、光源装置３１が投写レンズ３６の下方に位置する状態が第２姿勢として構成される。
【００９３】
前記実施形態では、壁面５２１が光軸３１Ａｘに直交する面に対して傾斜しているが、壁面５２１が光軸３１Ａｘに直交する面に沿うように形成されてもよい。この壁面５２１においても、光軸３１Ａｘと交差する方向に延出する面となる。図１２は、この変形例における光源装置３１の断面図である。図１２に示すように、壁面５２１が光軸３１Ａｘに直交するように形成され、各回転体６１は、第１姿勢において、自重により開口部６１ａが閉塞部６１ｂの下方に位置する状態となる。そして、前記実施形態と同様に、光源３１１の上方に位置する通気孔５２Ａの開口面積は、光源３１１の下方に位置する通気孔５２Ａの開口面積より広くなり、導入口７Ｇから導入された空気は、発光部３１１１ａの下側よりも上側に、より多く送風される。この構成の場合、第２姿勢で投写機能を有さないプロジェクターに適用することができる。
【００９４】
前記実施形態では、壁面５２１が６つ設けられているが、６つ以外の数で壁面５２１を形成してもよい。また、前記実施形態では、１つの壁面５２１に１つの通気孔５２Ａが設けられているが、１つの壁面５２１に複数の通気孔５２Ａを設けてもよい。
【００９５】
前記実施形態のプロジェクター１は、光変調装置として透過型の液晶パネルを用いているが、反射型の液晶パネルを利用したものであってもよい。また、光変調装置としてマイクロミラー型の光変調装置、例えば、ＤＭＤ（Digital Micromirror Device）等を利用したものであってもよい。
【００９６】
前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
【００９７】
前記実施形態のプロジェクター１は、１つの光源装置３１を備えているが、複数の光源装置３１を備えたプロジェクターにも適用できる。
【符号の説明】
【００９８】
１…プロジェクター、２…外装筐体、３…光学ユニット、４…冷却装置、５…光源用筐体、６…開閉機構、７…ダクト部材、７Ｆ…流路、７Ｇ…導入口、３１…光源装置、３１Ａｘ…光軸、３６…投写レンズ（投写光学装置）、４１…冷却ファン、５２Ａ…通気孔、５２Ａａ…第１通気孔、５２Ａｂ…第２通気孔、５２Ａｃ…第３通気孔、５２Ａｄ…第４通気孔、５２Ｇ…補助導入口、６１…回転体、６１ａ…開口部、６１ｂ…閉塞部、３１１…光源、３１２…リフレクター、３５１，３５１Ｂ，３５１Ｇ，３５１Ｒ…液晶ライトバルブ（光変調装置）、５２１…壁面、５２１ａ…第１壁面、５２１ｂ…第２壁面、５２１ｃ…第３壁面、５２１ｄ…第４壁面、５２２…軸受部、５２２Ｓ…中心軸（回転中心）、６１１…板状部、６１２…重り部、３１１１…発光管、３１１１ａ…発光部、Ｓｈ…水平面、Ｓｓ…斜面、Ｓｖ…鉛直面。
【図１】
2016180940.tif 000003
【図２】
2016180940.tif 000004
【図３】
2016180940.tif 000005
【図４】
2016180940.tif 000006
【図５】
2016180940.tif 000007
【図６】
2016180940.tif 000008
【図７】
2016180940.tif 000009
【図８】
2016180940.tif 000010
【図９】
2016180940.tif 000011
【図１０】
2016180940.tif 000012
【図１１】
2016180940.tif 000013
【図１２】
2016180940.tif 000014